(57)【要約】      （修正有）【課題】重ね継ぎ手構造よりも接合部の長さを短くでき、かつ、ループ鉄筋継ぎ手構造よりも床版厚を薄くでき、さらに、現場での配筋作業の負担も少なくできるプレキャストコンクリート床版の継ぎ手構造を提供する。【解決手段】上段ずれ止め部材１６は、上段継ぎ手鉄筋１２の先端にお互いの中心軸が略一致するように接合された上段軸部と、自身が接合された上段継ぎ手鉄筋１２が突出する方向とは逆の方向に斜め下方に延びる上段内面を当該上段継ぎ手鉄筋１２の突出する方向とは逆の側に有する上段係止部と、を有してなり、下段ずれ止め部材１８は、下段継ぎ手鉄筋１４の先端にお互いの中心軸が略一致するように接合された下段軸部と、自身が接合された下段継ぎ手鉄筋１４が突出する方向とは逆の方向に斜め上方に延びる下段内面を当該下段継ぎ手鉄筋１４の突出する方向とは逆の側に有する下段係止部と、を有してなる。【選択図】図１
2018031233.tif 000002
【特許請求の範囲】
【請求項１】
プレキャストコンクリート床版の側端部の接合端面に上下に間隔を開けて埋め込まれていて、前記接合端面から前記プレキャストコンクリート床版の床板面と略平行な方向に突出するように配置されている上段継ぎ手鉄筋および下段継ぎ手鉄筋と、前記接合端面が対向するように配置されている前記プレキャストコンクリート床版の前記接合端面同士の間を充填する間詰め材と、を有していて、前記接合端面が対向するように配置されている前記プレキャストコンクリート床版同士を接続するプレキャストコンクリート床版の継ぎ手構造であって、
前記接合端面が対向するように配置されている前記プレキャストコンクリート床版の前記上段継ぎ手鉄筋同士は、略同一の高さ位置に所定の間隔を開けて配置されており、
前記接合端面が対向するように配置されている前記プレキャストコンクリート床版の前記下段継ぎ手鉄筋同士は、略同一の高さ位置に所定の間隔を開けて配置されており、
突出する前記上段継ぎ手鉄筋の先端には、上段ずれ止め部材がそれぞれ設けられており、
前記上段ずれ止め部材は、突出する前記上段継ぎ手鉄筋の先端にお互いの中心軸が略一致するように接合された上段軸部と、自身が接合された前記上段継ぎ手鉄筋の長手方向と直交する水平方向から見て、当該上段継ぎ手鉄筋が突出する方向とは逆の方向に斜め下方に延びる上段内面を当該上段継ぎ手鉄筋の突出する方向とは逆の側に有する上段係止部と、を有してなり、
前記上段軸部と前記上段係止部とは一体化されており、
突出する前記下段継ぎ手鉄筋の先端には、下段ずれ止め部材がそれぞれ設けられており、
前記下段ずれ止め部材は、突出する前記下段継ぎ手鉄筋の先端にお互いの中心軸が略一致するように接合された下段軸部と、自身が接合された前記下段継ぎ手鉄筋の長手方向と直交する水平方向から見て、当該下段継ぎ手鉄筋が突出する方向とは逆の方向に斜め上方に延びる下段内面を当該下段継ぎ手鉄筋の突出する方向とは逆の側に有する下段係止部と、を有してなり、
前記下段軸部と前記下段係止部とは一体化されており、
さらに、前記上段継ぎ手鉄筋の下方に隣接して配置されていて前記上段継ぎ手鉄筋の長手方向と略直交する略水平方向に延びる上段直交鉄筋が前記上段係止部同士の間に配置されており、
前記下段継ぎ手鉄筋の上方に隣接して配置されていて前記下段継ぎ手鉄筋の長手方向と略直交する略水平方向に延びる下段直交鉄筋が前記下段係止部同士の間に配置されており、
前記プレキャストコンクリート床版の前記接合端面から突出している前記上段継ぎ手鉄筋の部位、前記プレキャストコンクリート床版の前記接合端面から突出している前記下段継ぎ手鉄筋の部位、前記上段ずれ止め部材、前記下段ずれ止め部材、前記上段直交鉄筋、および前記下段直交鉄筋の周囲は、前記間詰め材に覆われていることを特徴とするプレキャストコンクリート床版の継ぎ手構造。
【請求項２】
前記上段継ぎ手鉄筋の中心軸を含む鉛直面で切断した切断面において、当該上段継ぎ手鉄筋に接合されている前記上段ずれ止め部材の前記上段係止部の前記上段内面の当該上段継ぎ手鉄筋の中心軸とのなす角は４５°以上８５°以下であり、前記下段継ぎ手鉄筋の中心軸を含む鉛直面で切断した切断面において、当該下段継ぎ手鉄筋に接合されている前記下段ずれ止め部材の前記下段係止部の前記下段内面の当該下段継ぎ手鉄筋の中心軸とのなす角は４５°以上８５°以下であることを特徴とする請求項１に記載のプレキャストコンクリート床版の継ぎ手構造。
【請求項３】
プレキャストコンクリート床版の側端部の接合端面に上下に間隔を開けて埋め込まれていて、前記接合端面から前記プレキャストコンクリート床版の床板面と略平行な方向に突出するように配置されている上段継ぎ手鉄筋および下段継ぎ手鉄筋と、前記接合端面が対向するように配置されている前記プレキャストコンクリート床版の前記接合端面同士の間を充填する間詰め材と、を有していて、前記接合端面が対向するように配置されている前記プレキャストコンクリート床版同士を接続するプレキャストコンクリート床版の継ぎ手構造であって、
前記接合端面が対向するように配置されている前記プレキャストコンクリート床版の前記上段継ぎ手鉄筋同士は、略同一の高さ位置に所定の間隔を開けて配置されており、
前記接合端面が対向するように配置されている前記プレキャストコンクリート床版の前記下段継ぎ手鉄筋同士は、略同一の高さ位置に所定の間隔を開けて配置されており、
突出する前記上段継ぎ手鉄筋の先端には、上段ずれ止め部材がそれぞれ設けられており、
前記上段ずれ止め部材は、突出する前記上段継ぎ手鉄筋の先端にお互いの中心軸が略一致するように接合された上段軸部と、当該上段継ぎ手鉄筋の長手方向と略直交するように下方に延びる上段直交内面を当該上段継ぎ手鉄筋の突出する方向とは逆の側に有する上段係止部と、を有してなり、
前記上段軸部と前記上段係止部とは一体化されており、
突出する前記下段継ぎ手鉄筋の先端には、下段ずれ止め部材がそれぞれ設けられており、
前記下段ずれ止め部材は、突出する前記下段継ぎ手鉄筋の先端にお互いの中心軸が略一致するように接合された下段軸部と、当該下段継ぎ手鉄筋の長手方向と略直交するように上方に延びる下段直交内面を当該下段継ぎ手鉄筋の突出する方向とは逆の側に有する下段係止部と、を有してなり、
前記下段軸部と前記下段係止部とは一体化されており、
さらに、前記上段継ぎ手鉄筋の下方に隣接して配置されていて前記上段継ぎ手鉄筋の長手方向と略直交する略水平方向に延びる上段直交鉄筋が前記上段係止部同士の間に配置されており、
前記下段継ぎ手鉄筋の上方に隣接して配置されていて前記下段継ぎ手鉄筋の長手方向と略直交する略水平方向に延びる下段直交鉄筋が前記下段係止部同士の間に配置されており、
前記プレキャストコンクリート床版の前記接合端面から突出している前記上段継ぎ手鉄筋の部位、前記プレキャストコンクリート床版の前記接合端面から突出している前記下段継ぎ手鉄筋の部位、前記上段ずれ止め部材、前記下段ずれ止め部材、前記上段直交鉄筋、および前記下段直交鉄筋の周囲は、前記間詰め材に覆われていることを特徴とするプレキャストコンクリート床版の継ぎ手構造。
【請求項４】
前記上段ずれ止め部材には、自身が接合されている前記上段継ぎ手鉄筋の上縁よりも上方に位置する部位はなく、前記下段ずれ止め部材には、自身が接合されている前記下段継ぎ手鉄筋の下縁よりも下方に位置する部位はないことを特徴とする請求項１〜３のいずれかに記載のプレキャストコンクリート床版の継ぎ手構造。
【請求項５】
前記上段係止部および前記下段係止部の形状は、板状であることを特徴とする請求項１〜４のいずれかに記載のプレキャストコンクリート床版の継ぎ手構造。
【請求項６】
前記上段ずれ止め部材の前記上段係止部は、該上段ずれ止め部材が接合されている上段継ぎ手鉄筋が突出する方向の側に、自身が接合された前記上段継ぎ手鉄筋の長手方向と直交する水平方向から見て、該上段継ぎ手鉄筋が突出する方向に斜め下方に延びる上段外面を有しており、前記下段ずれ止め部材の前記下段係止部は、該下段ずれ止め部材が接合されている下段継ぎ手鉄筋が突出する方向の側に、自身が接合された前記下段継ぎ手鉄筋の長手方向と直交する水平方向から見て、該下段継ぎ手鉄筋が突出する方向に斜め上方に延びる下段外面を有していることを特徴とする請求項１〜４のいずれかに記載のプレキャストコンクリート床版の継ぎ手構造。
【請求項７】
前記上段ずれ止め部材は鋳鉄または鋳鋼で一体的に形成されており、前記下段ずれ止め部材は鋳鉄または鋳鋼で一体的に形成されていることを特徴とする請求項１〜６のいずれかに記載のプレキャストコンクリート床版の継ぎ手構造。
【請求項８】
前記上段ずれ止め部材の前記上段軸部は、突出する前記上段継ぎ手鉄筋の前記先端にフラッシュ溶接で接合されており、前記下段ずれ止め部材の前記下段軸部は、突出する前記下段継ぎ手鉄筋の前記先端にフラッシュ溶接で接合されていることを特徴とする請求項１〜７のいずれかに記載のプレキャストコンクリート床版の継ぎ手構造。
【発明の詳細な説明】
【技術分野】
【０００１】
本発明は、プレキャストコンクリート床版の継ぎ手構造に関し、詳細には、重ね継ぎ手構造よりも接合部の長さを短くでき、かつ、ループ鉄筋継ぎ手構造よりも床版厚を薄くでき、さらに、現場での配筋作業の負担も少なくすることができるプレキャストコンクリート床版の継ぎ手構造に関する。
【背景技術】
【０００２】
プレキャストコンクリート床版の継ぎ手構造の１つに重ね継ぎ手構造がある。重ね継ぎ手構造においては、一般的に鉄筋径の３０倍程度の長さを重ね継ぎ手長さとして確保することが必要であり、重ね継ぎ手構造は接合部の長さが長くなりやすい。
【０００３】
重ね継ぎ手構造よりも接合部の長さを短くできるプレキャストコンクリート床版の継ぎ手構造として、図２０に示されるようなループ鉄筋継ぎ手構造１００がある（例えば、特許文献１（１３ページ、図１６）参照）。ループ鉄筋継ぎ手構造１００は、橋軸方向に隣り合うプレキャストコンクリート床版１０２同士を橋軸方向に連結する継ぎ手構造であり、ループ鉄筋１０４と、補強鉄筋１０６と、間詰めコンクリート１０８とを有して構成されている。補強鉄筋１０６は橋軸直角方向に延びる鉄筋であり、補強鉄筋１０６の一部は、ループ鉄筋１０４と直交するように、ループ鉄筋１０４の内側に挿入配置されている。
【０００４】
しかし、ループ鉄筋継ぎ手構造１００においては、鉄筋を曲げ加工してループ鉄筋１０４とするため、定められている鉄筋の最小曲げ半径により床版の最小厚が決まってしまう。このため、重ね継ぎ手構造の場合よりもループ鉄筋継ぎ手構造１００を用いた床版は厚さが厚くなりやすい。
【０００５】
また、ループ鉄筋継ぎ手構造１００において、ループ鉄筋１０４内にループ鉄筋１０４と直交するように配置される補強鉄筋１０６は、プレキャストコンクリート床版１０２を所定の設置場所に設置した後に、橋軸直角方向から見てループ鉄筋１０４同士が重なる閉断面の内部に挿入する必要がある。このため、現場での配筋作業に手間が多くかかる。
【先行技術文献】
【特許文献】
【０００６】
【特許文献１】特開２０１２−６２６６４号公報
【発明の概要】
【発明が解決しようとする課題】
【０００７】
本発明は、かかる点に鑑みてなされたものであって、重ね継ぎ手構造よりも接合部の長さを短くでき、かつ、ループ鉄筋継ぎ手構造よりも床版厚を薄くでき、さらに、現場での配筋作業の負担も少なくすることができるプレキャストコンクリート床版の継ぎ手構造を提供することを課題とする。
【課題を解決するための手段】
【０００８】
本発明は、以下のプレキャストコンクリート床版の継ぎ手構造により、前記課題を解決したものである。
【０００９】
即ち、本発明に係るプレキャストコンクリート床版の継ぎ手構造の第１の態様は、プレキャストコンクリート床版の側端部の接合端面に上下に間隔を開けて埋め込まれていて、前記接合端面から前記プレキャストコンクリート床版の床板面と略平行な方向に突出するように配置されている上段継ぎ手鉄筋および下段継ぎ手鉄筋と、前記接合端面が対向するように配置されている前記プレキャストコンクリート床版の前記接合端面同士の間を充填する間詰め材と、を有していて、前記接合端面が対向するように配置されている前記プレキャストコンクリート床版同士を接続するプレキャストコンクリート床版の継ぎ手構造であって、前記接合端面が対向するように配置されている前記プレキャストコンクリート床版の前記上段継ぎ手鉄筋同士は、略同一の高さ位置に所定の間隔を開けて配置されており、前記接合端面が対向するように配置されている前記プレキャストコンクリート床版の前記下段継ぎ手鉄筋同士は、略同一の高さ位置に所定の間隔を開けて配置されており、突出する前記上段継ぎ手鉄筋の先端には、上段ずれ止め部材がそれぞれ設けられており、前記上段ずれ止め部材は、突出する前記上段継ぎ手鉄筋の先端にお互いの中心軸が略一致するように接合された上段軸部と、自身が接合された前記上段継ぎ手鉄筋の長手方向と直交する水平方向から見て、当該上段継ぎ手鉄筋が突出する方向とは逆の方向に斜め下方に延びる上段内面を当該上段継ぎ手鉄筋の突出する方向とは逆の側に有する上段係止部と、を有してなり、前記上段軸部と前記上段係止部とは一体化されており、突出する前記下段継ぎ手鉄筋の先端には、下段ずれ止め部材がそれぞれ設けられており、前記下段ずれ止め部材は、突出する前記下段継ぎ手鉄筋の先端にお互いの中心軸が略一致するように接合された下段軸部と、自身が接合された前記下段継ぎ手鉄筋の長手方向と直交する水平方向から見て、当該下段継ぎ手鉄筋が突出する方向とは逆の方向に斜め上方に延びる下段内面を当該下段継ぎ手鉄筋の突出する方向とは逆の側に有する下段係止部と、を有してなり、前記下段軸部と前記下段係止部とは一体化されており、さらに、前記上段継ぎ手鉄筋の下方に隣接して配置されていて前記上段継ぎ手鉄筋の長手方向と略直交する略水平方向に延びる上段直交鉄筋が前記上段係止部同士の間に配置されており、前記下段継ぎ手鉄筋の上方に隣接して配置されていて前記下段継ぎ手鉄筋の長手方向と略直交する略水平方向に延びる下段直交鉄筋が前記下段係止部同士の間に配置されており、前記プレキャストコンクリート床版の前記接合端面から突出している前記上段継ぎ手鉄筋の部位、前記プレキャストコンクリート床版の前記接合端面から突出している前記下段継ぎ手鉄筋の部位、前記上段ずれ止め部材、前記下段ずれ止め部材、前記上段直交鉄筋、および前記下段直交鉄筋の周囲は、前記間詰め材に覆われていることを特徴とするプレキャストコンクリート床版の継ぎ手構造である。
【００１０】
ここで、本願において、部材の中心軸とは、当該部材の長手方向と直交する当該部材の各断面の図心を連ねて形成される線のことである。
【００１１】
前記上段継ぎ手鉄筋の中心軸を含む鉛直面で切断した切断面において、当該上段継ぎ手鉄筋に接合されている前記上段ずれ止め部材の前記上段係止部の前記上段内面の当該上段継ぎ手鉄筋の中心軸とのなす角は４５°以上８５°以下であり、前記下段継ぎ手鉄筋の中心軸を含む鉛直面で切断した切断面において、当該下段継ぎ手鉄筋に接合されている前記下段ずれ止め部材の前記下段係止部の前記下段内面の当該下段継ぎ手鉄筋の中心軸とのなす角は４５°以上８５°以下であることが好ましい。
【００１２】
本発明に係るプレキャストコンクリート床版の継ぎ手構造の第２の態様は、プレキャストコンクリート床版の側端部の接合端面に上下に間隔を開けて埋め込まれていて、前記接合端面から前記プレキャストコンクリート床版の床板面と略平行な方向に突出するように配置されている上段継ぎ手鉄筋および下段継ぎ手鉄筋と、前記接合端面が対向するように配置されている前記プレキャストコンクリート床版の前記接合端面同士の間を充填する間詰め材と、を有していて、前記接合端面が対向するように配置されている前記プレキャストコンクリート床版同士を接続するプレキャストコンクリート床版の継ぎ手構造であって、前記接合端面が対向するように配置されている前記プレキャストコンクリート床版の前記上段継ぎ手鉄筋同士は、略同一の高さ位置に所定の間隔を開けて配置されており、前記接合端面が対向するように配置されている前記プレキャストコンクリート床版の前記下段継ぎ手鉄筋同士は、略同一の高さ位置に所定の間隔を開けて配置されており、突出する前記上段継ぎ手鉄筋の先端には、上段ずれ止め部材がそれぞれ設けられており、前記上段ずれ止め部材は、突出する前記上段継ぎ手鉄筋の先端にお互いの中心軸が略一致するように接合された上段軸部と、当該上段継ぎ手鉄筋の長手方向と略直交するように下方に延びる上段直交内面を当該上段継ぎ手鉄筋の突出する方向とは逆の側に有する上段係止部と、を有してなり、前記上段軸部と前記上段係止部とは一体化されており、突出する前記下段継ぎ手鉄筋の先端には、下段ずれ止め部材がそれぞれ設けられており、前記下段ずれ止め部材は、突出する前記下段継ぎ手鉄筋の先端にお互いの中心軸が略一致するように接合された下段軸部と、当該下段継ぎ手鉄筋の長手方向と略直交するように上方に延びる下段直交内面を当該下段継ぎ手鉄筋の突出する方向とは逆の側に有する下段係止部と、を有してなり、前記下段軸部と前記下段係止部とは一体化されており、さらに、前記上段継ぎ手鉄筋の下方に隣接して配置されていて前記上段継ぎ手鉄筋の長手方向と略直交する略水平方向に延びる上段直交鉄筋が前記上段係止部同士の間に配置されており、前記下段継ぎ手鉄筋の上方に隣接して配置されていて前記下段継ぎ手鉄筋の長手方向と略直交する略水平方向に延びる下段直交鉄筋が前記下段係止部同士の間に配置されており、前記プレキャストコンクリート床版の前記接合端面から突出している前記上段継ぎ手鉄筋の部位、前記プレキャストコンクリート床版の前記接合端面から突出している前記下段継ぎ手鉄筋の部位、前記上段ずれ止め部材、前記下段ずれ止め部材、前記上段直交鉄筋、および前記下段直交鉄筋の周囲は、前記間詰め材に覆われていることを特徴とするプレキャストコンクリート床版の継ぎ手構造である。
【００１３】
前記上段ずれ止め部材には、自身が接合されている前記上段継ぎ手鉄筋の上縁よりも上方に位置する部位はなく、前記下段ずれ止め部材には、自身が接合されている前記下段継ぎ手鉄筋の下縁よりも下方に位置する部位はないことが好ましい。
【００１４】
ここで、上段継ぎ手鉄筋が異形鉄筋の場合、上段継ぎ手鉄筋の上縁は、表面に設けられた凸部も含めて考えた上縁のことであり、下段継ぎ手鉄筋が異形鉄筋の場合、下段継ぎ手鉄筋の下縁は、表面に設けられた凸部も含めて考えた下縁のことである。
【００１５】
前記上段係止部および前記下段係止部の形状は、例えば、板状としてもよい。
【００１６】
前記上段ずれ止め部材の前記上段係止部は、該上段ずれ止め部材が接合されている上段継ぎ手鉄筋が突出する方向の側に、自身が接合された前記上段継ぎ手鉄筋の長手方向と直交する水平方向から見て、該上段継ぎ手鉄筋が突出する方向に斜め下方に延びる上段外面を有しており、前記下段ずれ止め部材の前記下段係止部は、該下段ずれ止め部材が接合されている下段継ぎ手鉄筋が突出する方向の側に、自身が接合された前記下段継ぎ手鉄筋の長手方向と直交する水平方向から見て、該下段継ぎ手鉄筋が突出する方向に斜め上方に延びる下段外面を有していることが好ましい。
【００１７】
前記上段ずれ止め部材は鋳鉄または鋳鋼で一体的に形成されており、前記下段ずれ止め部材は鋳鉄または鋳鋼で一体的に形成されていることが好ましい。
【００１８】
前記上段ずれ止め部材の前記上段軸部は、突出する前記上段継ぎ手鉄筋の前記先端にフラッシュ溶接で接合されていてもよく、前記下段ずれ止め部材の前記下段軸部は、突出する前記下段継ぎ手鉄筋の前記先端にフラッシュ溶接で接合されていてもよい。
【発明の効果】
【００１９】
本発明に係るプレキャストコンクリート床版の継ぎ手構造によれば、重ね継ぎ手構造よりも接合部の長さを短くでき、かつ、ループ鉄筋継ぎ手構造よりも床版厚を薄くでき、さらに、現場での配筋作業の負担も少なくすることができる。
【図面の簡単な説明】
【００２０】
【図１】本発明の第１実施形態に係るプレキャストコンクリート床版の継ぎ手構造１０を斜め上方から見た斜視図
【図２】図１から上段直交鉄筋２０および下段直交鉄筋２２を除いて描いた斜視図
【図３】前記継ぎ手構造１０を橋軸直角方向から見た側面図
【図４】前記継ぎ手構造１０において、上段継ぎ手鉄筋１２の先端部および上段ずれ止め部材１６を上段継ぎ手鉄筋１２の中心軸１２Ａを通る鉛直面で切断して得られる断面を模式的に示す鉛直断面図
【図５】前記継ぎ手構造１０において、上段ずれ止め部材１６を上段軸部１６Ａの長手方向から見た正面図
【図６】前記継ぎ手構造１０において、下段継ぎ手鉄筋１４の先端部および下段ずれ止め部材１８を下段継ぎ手鉄筋１４の中心軸１４Ａを通る鉛直面で切断して得られる断面を模式的に示す鉛直断面図
【図７】前記継ぎ手構造１０において、下段ずれ止め部材１８を下段軸部１８Ａの長手方向から見た正面図
【図８】前記継ぎ手構造１０の構築に際して、上段直交鉄筋２０および下段直交鉄筋２２を現場で配筋する前の状態を模式的に示す橋軸直角方向から見た側面図
【図９】前記継ぎ手構造１０の上段ずれ止め部材１６の上段係止部１６Ｂの第１変形例（上段ずれ止め部材２６の上段係止部２６Ｂ）を模式的に示す鉛直断面図
【図１０】前記継ぎ手構造１０の下段ずれ止め部材１８の下段係止部１８Ｂの第１変形例（下段ずれ止め部材２８の下段係止部２８Ｂ）を模式的に示す鉛直断面図
【図１１】前記継ぎ手構造１０の上段ずれ止め部材１６の上段係止部１６Ｂの第２変形例の具体例（（ａ）上段係止部３０Ａ、（ｂ）上段係止部３０Ｂ）を示す正面図（上段ずれ止め部材１６の上段軸部１６Ａの長手方向から見た正面図）
【図１２】前記継ぎ手構造１０の上段ずれ止め部材１６の上段係止部１６Ｂの第２変形例の具体例（（ａ）上段係止部３２Ａ、（ｂ）上段係止部３２Ｂ、（ｃ）上段係止部３２Ｃ）を示す正面図（上段ずれ止め部材１６の上段軸部１６Ａの長手方向から見た正面図）
【図１３】前記継ぎ手構造１０の上段ずれ止め部材１６の上段係止部１６Ｂの第２変形例の具体例（（ａ）上段係止部３４Ａ、（ｂ）上段係止部３４Ｂ）を示す正面図（上段ずれ止め部材１６の上段軸部１６Ａの長手方向から見た正面図）
【図１４】前記継ぎ手構造１０の上段ずれ止め部材１６の上段係止部１６Ｂの第２変形例の具体例（（ａ）上段係止部３６Ａ、（ｂ）上段係止部３６Ｂ）を示す正面図（上段ずれ止め部材１６の上段軸部１６Ａの長手方向から見た正面図）
【図１５】本発明の第２実施形態に係るプレキャストコンクリート床版の継ぎ手構造４０を斜め上方から見た斜視図
【図１６】図１５から上段直交鉄筋２０および下段直交鉄筋２２を除いて描いた斜視図
【図１７】前記継ぎ手構造４０を橋軸直角方向から見た側面図
【図１８】前記継ぎ手構造４０において、上段継ぎ手鉄筋１２の先端部および上段ずれ止め部材４２を上段継ぎ手鉄筋１２の中心軸１２Ａを通る鉛直面で切断して得られる断面を模式的に示す鉛直断面図
【図１９】前記継ぎ手構造４０において、下段継ぎ手鉄筋１４の先端部および下段ずれ止め部材４４を下段継ぎ手鉄筋１４の中心軸１４Ａを通る鉛直面で切断して得られる断面を模式的に示す鉛直断面図
【図２０】ループ鉄筋継ぎ手構造１００を用いた従来の床版相互の連結構造を示す橋軸直角方向から見た縦断側面図
【発明を実施するための形態】
【００２１】
以下、図面を参照して、本発明の実施形態を詳細に説明する。
【００２２】
（第１実施形態）
図１は、本発明の第１実施形態に係るプレキャストコンクリート床版の継ぎ手構造１０を斜め上方から見た斜視図であり、図２は、図１から上段直交鉄筋２０および下段直交鉄筋２２を除いて描いた斜視図であり、図３は、本発明の第１実施形態に係るプレキャストコンクリート床版の継ぎ手構造１０を橋軸直角方向から見た側面図である。ただし、図示の都合上、図１および図２においては、間詰めコンクリート２４は描いていない。また、図３では、間詰めコンクリート２４の内部の部材も実線で描いている。
【００２３】
本発明の第１実施形態に係るプレキャストコンクリート床版の継ぎ手構造１０（以下、単に「継ぎ手構造１０」と記すことがある。）は、橋軸方向に隣り合って配置されているプレキャストコンクリート床版５０同士を連結する継ぎ手構造であり、上段継ぎ手鉄筋１２および下段継ぎ手鉄筋１４と、上段継ぎ手鉄筋１２の先端に設けられた上段ずれ止め部材１６と、下段継ぎ手鉄筋１４の先端に設けられた下段ずれ止め部材１８と、上段直交鉄筋２０および下段直交鉄筋２２と、間詰めコンクリート２４とを有して構成されている。
【００２４】
橋軸方向に隣り合って配置されているプレキャストコンクリート床版５０は、側端部の接合端面５２が対向するように配置されており、対向する接合端面５２の間には間詰めコンクリート２４が充填されており、プレキャストコンクリート床版５０の接合端面５２から突出している上段継ぎ手鉄筋１２の部位、プレキャストコンクリート床版５０の接合端面５２から突出している下段継ぎ手鉄筋１４の部位、上段ずれ止め部材１６、下段ずれ止め部材１８、上段直交鉄筋２０、および下段直交鉄筋２２の周囲は、間詰めコンクリート２４で覆われている。
【００２５】
プレキャストコンクリート床版５０の側端部の接合端面５２には、上段継ぎ手鉄筋１２および下段継ぎ手鉄筋１４が略橋軸方向に（プレキャストコンクリート床版５０の床版面と略平行な方向に）突出するように埋め込まれており、上段継ぎ手鉄筋１２および下段継ぎ手鉄筋１４は略鉛直方向に上下に間隔（例えば、１００ｍｍ）を開けて配置されている。また、上段継ぎ手鉄筋１２および下段継ぎ手鉄筋１４は、表面に凹凸を備えた異形鉄筋である。
【００２６】
接合端面５２が対向するように隣り合って配置されているプレキャストコンクリート床版５０の上段継ぎ手鉄筋１２同士は、略同一の高さ位置に配置されており、所定の間隔（例えば、２５０ｍｍ）で配置されている。
【００２７】
また、接合端面５２が対向するように隣り合って配置されているプレキャストコンクリート床版５０の下段継ぎ手鉄筋１４同士は、略同一の高さ位置に配置されており、所定の間隔（例えば、２５０ｍｍ）で配置されている。
【００２８】
上段継ぎ手鉄筋１２の先端には、上段ずれ止め部材１６が設けられている。図４は、上段継ぎ手鉄筋１２の先端部および上段ずれ止め部材１６を上段継ぎ手鉄筋１２の中心軸１２Ａを通る鉛直面で切断して得られる断面を模式的に示す鉛直断面図である。
【００２９】
図４に示すように、上段ずれ止め部材１６は、上段軸部１６Ａと、上段係止部１６Ｂとを有してなる。上段軸部１６Ａと上段係止部１６Ｂとは一体化されている。
【００３０】
上段軸部１６Ａは、上段継ぎ手鉄筋１２の外径（凹部の外径）と略同一の外径を有しており、突出する上段継ぎ手鉄筋１２の先端に、お互いの中心軸が略一致するように接合されている。この接合は、例えば、フラッシュ溶接を用いて行うことができる。フラッシュ溶接を用いて得られる接合部は接合前よりも若干径が大きくなるが、上段継ぎ手鉄筋１２の凸部の径程度以下に抑えることで、フラッシュ溶接を用いて得られる接合部は上段継ぎ手鉄筋１２と同等のかぶりを確保できる。
【００３１】
上段係止部１６Ｂは、上段継ぎ手鉄筋１２の長手方向と直交する水平方向（橋軸直角方向）から見て、当該上段係止部１６Ｂを有する上段ずれ止め部材１６が設けられている上段継ぎ手鉄筋１２が突出する方向とは逆の方向に斜め下方に延びる上段内面１６Ｂ１を当該上段継ぎ手鉄筋１２の突出する方向とは逆の側に有する。
【００３２】
上段ずれ止め部材１６は、上段内面１６Ｂ１を備えることにより、上段内面１６Ｂ１が支圧抵抗面となって、上段継ぎ手鉄筋１２が間詰めコンクリート２４から引き抜けることを防止する。また、上段内面１６Ｂ１は、上段係止部１６Ｂを有する上段ずれ止め部材１６が設けられている上段継ぎ手鉄筋１２が突出する方向とは逆の方向に斜め下方に延びる面であるので、間詰めコンクリート２４に効果的に係止して、プレキャストコンクリート床版５０の接合耐力をさらに向上させるとともに、上段継ぎ手鉄筋１２のはらみ出しに効果的に抵抗する。
【００３３】
また、上段係止部１６Ｂの上段内面１６Ｂ１と、上段内面１６Ｂ１とは反対側（当該上段係止部１６Ｂを有する上段ずれ止め部材１６が設けられている上段継ぎ手鉄筋１２が突出する方向の側）の上段外面１６Ｂ２とは略平行になっており、上段係止部１６Ｂの形状は板状である。
【００３４】
上段継ぎ手鉄筋１２の中心軸１２Ａを含む鉛直面で切断して得られる切断面において、当該上段継ぎ手鉄筋１２に接合されている上段ずれ止め部材１６の上段係止部１６Ｂの上段内面１６Ｂ１の当該上段継ぎ手鉄筋１２の中心軸１２Ａとのなす角αは、支圧抵抗面を確保する点、間詰めコンクリート２４に効果的に係止する点、および上段継ぎ手鉄筋１２のはらみ出しに効果的に抵抗できる点で、４５°以上８５°以下であることが好ましい。
【００３５】
ここで、上段継ぎ手鉄筋１２の中心軸１２Ａを含む鉛直面で切断して得られる切断面において、上段係止部１６Ｂの上段内面１６Ｂ１の上段継ぎ手鉄筋１２の中心軸１２Ａとのなす角は、図４の角度αのことを意味する。
【００３６】
図５は、上段ずれ止め部材１６を上段軸部１６Ａの長手方向から見た正面図である。図５に示すように、上段係止部１６Ｂの形状（上段軸部１６Ａの長手方向から見た形状）は略正方形状であり、その１辺の長さは３０ｍｍ〜４０ｍｍ程度である。略正方形状の上段係止部１６Ｂの１辺の長さを３０ｍｍ〜４０ｍｍ程度にすることにより、間詰めコンクリート２４に係止するための支圧抵抗面を確保することができるとともに、間詰めコンクリート２４を充填する際の充填性も良好にすることができる。
【００３７】
また、図５に示すように、上段係止部１６Ｂは、上段軸部１６Ａの上縁よりも上方に位置する部位はなく、上段継ぎ手鉄筋１２の上縁よりも上方に位置する部位はない。このため、コンクリートのかぶりを確保する上で有利な継ぎ手構造となっている。
【００３８】
上段ずれ止め部材１６の材質は、必要な性能（間詰めコンクリート２４に対する係止効果等）が得られるのであれば特には限定されないが、例えば、上段ずれ止め部材１６を鋳鉄または鋳鋼で成型した部材としてもよい。上段ずれ止め部材１６を鋳鉄または鋳鋼で成型した部材とした場合には、上段ずれ止め部材１６の形状がある程度複雑な形状であっても実現することができ、上段ずれ止め部材１６の各部位が、当該上段ずれ止め部材１６が設けられている上段継ぎ手鉄筋１２の上縁（上段継ぎ手鉄筋１２の表面に設けられた凸部も含めて考えた上縁）よりも上方に位置しないように、上段ずれ止め部材１６を構成することも容易に行うことができる。上段ずれ止め部材１６の各部位が、当該上段ずれ止め部材１６が設けられている上段継ぎ手鉄筋１２の上縁よりも上方に位置しないようにすることで、コンクリートのかぶりを確保する上で有利な継ぎ手構造となる。
【００３９】
下段継ぎ手鉄筋１４の先端には、下段ずれ止め部材１８が設けられている。図６は、下段継ぎ手鉄筋１４の先端部および下段ずれ止め部材１８を下段継ぎ手鉄筋１４の中心軸１４Ａを通る鉛直面で切断して得られる断面を模式的に示す鉛直断面図である。
【００４０】
図６に示すように、下段ずれ止め部材１８は、下段軸部１８Ａと、下段係止部１８Ｂとを有してなる。下段軸部１８Ａと下段係止部１８Ｂとは一体化されている。
【００４１】
下段軸部１８Ａは、下段継ぎ手鉄筋１４の外径（凹部の外径）と略同一の外径を有しており、突出する下段継ぎ手鉄筋１４の先端に、お互いの中心軸が略一致するように接合されている。この接合は、例えば、フラッシュ溶接を用いて行うことができる。フラッシュ溶接を用いて得られる接合部は接合前よりも若干径が大きくなるが、下段継ぎ手鉄筋１４の凸部の径程度以下に抑えることで、フラッシュ溶接を用いて得られる接合部は下段継ぎ手鉄筋１４と同等のかぶりを確保できる。
【００４２】
下段係止部１８Ｂは、下段継ぎ手鉄筋１４の長手方向と直交する水平方向（橋軸直角方向）から見て、当該下段係止部１８Ｂを有する下段ずれ止め部材１８が設けられている下段継ぎ手鉄筋１４が突出する方向とは逆の方向に斜め上方に延びる下段内面１８Ｂ１を当該下段継ぎ手鉄筋１４の突出する方向とは逆の側に有する。
【００４３】
下段ずれ止め部材１８は、下段内面１８Ｂ１を備えることにより、下段内面１８Ｂ１が支圧抵抗面となって、下段継ぎ手鉄筋１４が間詰めコンクリート２４から引き抜けることを防止する。また、下段内面１８Ｂ１は、下段係止部１８Ｂを有する下段ずれ止め部材１８が設けられている下段継ぎ手鉄筋１４が突出する方向とは逆の方向に斜め上方に延びる面であるので、間詰めコンクリート２４に効果的に係止して、プレキャストコンクリート床版５０の接合耐力をさらに向上させるとともに、下段継ぎ手鉄筋１４のはらみ出しに効果的に抵抗する。
【００４４】
また、下段係止部１８Ｂの下段内面１８Ｂ１と、下段内面１８Ｂ１とは反対側（当該下段係止部１８Ｂを有する下段ずれ止め部材１８が設けられている下段継ぎ手鉄筋１４が突出する方向の側）の下段外面１８Ｂ２とは略平行になっており、下段係止部１８Ｂの形状は板状である。
【００４５】
下段継ぎ手鉄筋１４の中心軸１４Ａを含む鉛直面で切断して得られる切断面において、当該下段継ぎ手鉄筋１４に接合されている下段ずれ止め部材１８の下段係止部１８Ｂの下段内面１８Ｂ１の当該下段継ぎ手鉄筋１４の中心軸１４Ａとのなす角βは、支圧抵抗面を確保する点、間詰めコンクリート２４に効果的に係止する点、および下段継ぎ手鉄筋１４のはらみ出しに効果的に抵抗できる点で、４５°以上８５°以下であることが好ましい。
【００４６】
ここで、下段継ぎ手鉄筋１４の中心軸１４Ａを含む鉛直面で切断して得られる切断面において、下段係止部１８Ｂの下段内面１８Ｂ１の下段継ぎ手鉄筋１４の中心軸１４Ａとのなす角は、図６の角度βのことを意味する。
【００４７】
図７は、下段ずれ止め部材１８を下段軸部１８Ａの長手方向から見た正面図である。図７に示すように、下段係止部１８Ｂの形状（下段軸部１８Ａの長手方向から見た形状）は略正方形状であり、その１辺の長さは３０ｍｍ〜４０ｍｍ程度である。略正方形状の下段係止部１８Ｂの１辺の長さを３０ｍｍ〜４０ｍｍ程度にすることにより、間詰めコンクリート２４に係止するための支圧抵抗面を確保することができるとともに、間詰めコンクリート２４を充填する際の充填性も良好にすることができる。
【００４８】
また、図７に示すように、下段係止部１８Ｂは、下段軸部１８Ａの下縁よりも下方に位置する部位はなく、下段継ぎ手鉄筋１４の下縁よりも下方に位置する部位はない。このため、コンクリートのかぶりを確保する上で有利な継ぎ手構造となっている。
【００４９】
下段ずれ止め部材１８の材質は、必要な性能（間詰めコンクリート２４に対する係止効果等）が得られるのであれば特には限定されないが、例えば、下段ずれ止め部材１８を鋳鉄または鋳鋼で成型した部材としてもよい。下段ずれ止め部材１８を鋳鉄または鋳鋼で成型した部材とした場合には、下段ずれ止め部材１８の形状がある程度複雑な形状であっても実現することができ、下段ずれ止め部材１８の各部位が、当該下段ずれ止め部材１８が設けられている下段継ぎ手鉄筋１４の下縁（下段継ぎ手鉄筋１４の表面に設けられた凸部も含めて考えた下縁）よりも下方に位置しないように、下段ずれ止め部材１８を構成することも容易に行うことができる。下段ずれ止め部材１８の各部位が、当該下段ずれ止め部材１８が設けられている下段継ぎ手鉄筋１４の下縁よりも下方に位置しないようにすることで、コンクリートのかぶりを確保する上で有利な継ぎ手構造となる。
【００５０】
また、本第１実施形態に係るプレキャストコンクリート床版の継ぎ手構造１０においては、上段継ぎ手鉄筋１２の下方に隣接して配置されていて上段継ぎ手鉄筋１２の長手方向と略直交する略水平方向に延びる上段直交鉄筋２０が上段係止部１６Ｂ同士の間に配置されており、さらに、下段継ぎ手鉄筋１４の上方に隣接して配置されていて下段継ぎ手鉄筋１４の長手方向と略直交する略水平方向に延びる下段直交鉄筋２２が下段係止部１８Ｂ同士の間に配置されている。
【００５１】
このように上段直交鉄筋２０および下段直交鉄筋２２が配置されていることにより、本第１実施形態に係るプレキャストコンクリート床版の継ぎ手構造１０は継ぎ手部以外の部位と同等の耐力を確保することができる。
【００５２】
上段直交鉄筋２０および下段直交鉄筋２２を現場で配筋するためには、図８に示すように、上段継ぎ手鉄筋１２に必要な本数だけ上段直交鉄筋２０および下段直交鉄筋２２をそれぞれ針金２３等の線材で取り付けておき、プレキャストコンクリート床版５０を所定の位置に配置した後に、取り付けに用いた針金２３等の線材を取り外し、上段直交鉄筋２０および下段直交鉄筋２２を所定の位置に配置すればよい。このため、現場において橋軸直角方向に鉄筋を挿入することは不要であり、上段直交鉄筋２０および下段直交鉄筋２２の配筋作業は容易である。
【００５３】
一方、従来のループ鉄筋継ぎ手構造を用いた場合には、橋軸直角方向から見てループ鉄筋同士が重なる閉断面の内部に、橋軸直角方向に鉄筋を挿入することが必要であり、現場での上段直交鉄筋および下段直交鉄筋の配筋作業に手間がかかっていた。
【００５４】
（第１実施形態の効果）
本発明の第１実施形態に係るプレキャストコンクリート床版の継ぎ手構造１０は、上段継ぎ手鉄筋１２の先端に設けられた上段ずれ止め部材１６と、下段継ぎ手鉄筋１４の先端に設けられた下段ずれ止め部材１８と、を有しており、上段ずれ止め部材１６の上段係止部１６Ｂは、上段係止部１６Ｂを有する上段ずれ止め部材１６が設けられている上段継ぎ手鉄筋１２が突出する方向とは逆の方向に斜め下方に延びる上段内面１６Ｂ１を有しており、下段ずれ止め部材１８の下段係止部１８Ｂは、下段係止部１８Ｂを有する下段ずれ止め部材１８が設けられている下段継ぎ手鉄筋１４が突出する方向とは逆の方向に斜め上方に延びる下段内面１８Ｂ１を有している。
【００５５】
前述したように、上段内面１６Ｂ１および下段内面１８Ｂ１は、間詰めコンクリート２４に効果的に係止するように、上段継ぎ手鉄筋１２および下段継ぎ手鉄筋１４に対して斜めに配置されているので、本第１実施形態に係るプレキャストコンクリート床版の継ぎ手構造１０は接合耐力が大きくなっており、このため、従来の重ね継ぎ手構造よりも接合部の長さを短くできる。
【００５６】
また、本発明の第１実施形態に係るプレキャストコンクリート床版の継ぎ手構造１０においては、鉄筋をループ状に加工する必要がないため、従来のループ鉄筋継ぎ手構造よりも床版厚を薄くすることができる。
【００５７】
さらに、本発明の第１実施形態に係るプレキャストコンクリート床版の継ぎ手構造１０においては、橋軸直角方向から見て従来のループ鉄筋継ぎ手構造のような閉断面はなく、橋軸直角方向に配置する補強用の鉄筋を橋軸直角方向から接合部に差し込む必要はなく、現場での配筋作業の負担も少なくすることができる。
【００５８】
なお、本第１実施形態に係る継ぎ手構造１０においては、対向する接合端面５２の間を充填する間詰め材として間詰めコンクリート２４を用いたが、プレキャストコンクリート床版５０の接合端面５２から突出している上段継ぎ手鉄筋１２の部位、プレキャストコンクリート床版５０の接合端面５２から突出している下段継ぎ手鉄筋１４の部位、上段ずれ止め部材１６、下段ずれ止め部材１８、上段直交鉄筋２０、および下段直交鉄筋２２の周囲を覆って、それらの部材を十分に一体化できるのであれば、対向する接合端面５２の間を充填する間詰め材としてコンクリート以外の材料を用いてもよく、要求される性能を満たすのであれば、例えば、モルタルや樹脂モルタル等を間詰めコンクリート２４に替えて用いることも可能である。
【００５９】
（第１実施形態の第１変形例）
本発明の第１実施形態に係るプレキャストコンクリート床版の継ぎ手構造１０において、上段係止部１６Ｂの上段内面１６Ｂ１および上段外面１６Ｂ２は略平行になっていて、上段係止部１６Ｂの形状は板状になっており、また、下段係止部１８Ｂの下段内面１８Ｂ１および下段外面１８Ｂ２は略平行になっていて、下段係止部１８Ｂの形状は板状になっていたが、本第１実施形態において、上段ずれ止め部材の上段係止部および下段ずれ止め部材の下段係止部の形状は板状に限られるわけではない。上段係止部１６Ｂの上段内面１６Ｂ１と同様の斜め下方に延びる面（上段係止部１６Ｂを有する上段ずれ止め部材１６が設けられている上段継ぎ手鉄筋１２が突出する方向とは逆の方向に斜め下方に延びる面）を備えていれば、上段係止部の形状は板状以外の形状でもよい。また、下段係止部１８Ｂの下段内面１８Ｂ１と同様の斜め上方に延びる面（下段係止部１８Ｂを有する下段ずれ止め部材１８が設けられている下段継ぎ手鉄筋１４が突出する方向とは逆の方向に斜め上方に延びる面）を備えていれば、下段係止部の形状は板状以外の形状でもよい。
【００６０】
図９は、第１実施形態に係る継ぎ手構造１０の上段ずれ止め部材１６の上段係止部１６Ｂの第１変形例（上段ずれ止め部材２６の上段係止部２６Ｂ）を模式的に示す鉛直断面図（上段継ぎ手鉄筋１２の先端部および上段ずれ止め部材２６を上段継ぎ手鉄筋１２の中心軸を通る鉛直面で切断して得られる断面を模式的に示す鉛直断面図）であり、図１０は、第１実施形態に係る継ぎ手構造１０の下段ずれ止め部材１８の下段係止部１８Ｂの第１変形例（下段ずれ止め部材２８の下段係止部２８Ｂ）を模式的に示す鉛直断面図（下段継ぎ手鉄筋１４の先端部および下段ずれ止め部材２８を下段継ぎ手鉄筋１４の中心軸を通る鉛直面で切断して得られる断面を模式的に示す鉛直断面図）である。
【００６１】
図９に示すように、上段ずれ止め部材１６の第１変形例である上段ずれ止め部材２６の上段係止部２６Ｂは、上段継ぎ手鉄筋１２の中心軸を通る鉛直面で切断して得られる断面の形状が台形であり、上段係止部２６Ｂは、上段係止部１６Ｂの上段内面１６Ｂ１と同様の斜め下方に延びる上段内面２６Ｂ１（上段係止部２６Ｂを有する上段ずれ止め部材２６が設けられている上段継ぎ手鉄筋１２が突出する方向とは逆の方向に斜め下方に延びる面）を、上段係止部２６Ｂを有する上段ずれ止め部材２６が設けられている上段継ぎ手鉄筋１２が突出する方向とは逆の側に有するが、上段内面２６Ｂ１とは反対側（上段係止部２６Ｂを有する上段ずれ止め部材２６が設けられている上段継ぎ手鉄筋１２が突出する方向の側）の上段外面２６Ｂ２は、上段係止部２６Ｂを有する上段ずれ止め部材２６が設けられている上段継ぎ手鉄筋１２が突出する方向に斜め下方に延びる面になっている。このため、上段継ぎ手鉄筋１２が上方にはらみ出そうとするときに、上段外面２６Ｂ２は間詰めコンクリート２４からの抵抗力を受けることになる。したがって、上段係止部１６Ｂを有する上段ずれ止め部材１６に替えて上段係止部２６Ｂを有する上段ずれ止め部材２６を用いることにより、上段継ぎ手鉄筋１２の上方へのはらみ出しをより起こりにくくすることができる。
【００６２】
また、図１０に示すように、下段ずれ止め部材１８の第１変形例である下段ずれ止め部材２８の下段係止部２８Ｂは、下段継ぎ手鉄筋１４の中心軸を通る鉛直面で切断して得られる断面の形状が台形であり、下段係止部２８Ｂは、下段係止部１８Ｂの下段内面１８Ｂ１と同様の斜め上方に延びる下段内面２８Ｂ１（下段係止部２８Ｂを有する下段ずれ止め部材２８が設けられている下段継ぎ手鉄筋１４が突出する方向とは逆の方向に斜め上方に延びる面）を、下段係止部２８Ｂを有する下段ずれ止め部材２８が設けられている下段継ぎ手鉄筋１４が突出する方向とは逆の側に有するが、下段内面２８Ｂ１とは反対側（下段係止部２８Ｂを有する下段ずれ止め部材２８が設けられている下段継ぎ手鉄筋１４が突出する方向の側）の下段外面２８Ｂ２は、下段係止部２８Ｂを有する下段ずれ止め部材２８が設けられている下段継ぎ手鉄筋１４が突出する方向に斜め上方に延びる面になっている。このため、下段継ぎ手鉄筋１４が下方にはらみ出そうとするときに、下段外面２８Ｂ２は間詰めコンクリート２４からの抵抗力を受けることになる。したがって、下段係止部１８Ｂを有する下段ずれ止め部材１８に替えて下段係止部２８Ｂを有する下段ずれ止め部材２８を用いることにより、下段継ぎ手鉄筋１４の下方へのはらみ出しをより起こりにくくすることができる。
【００６３】
なお、図９において、符号２６Ａは上段軸部１６Ａと同様の上段軸部であり、図１０において、符号２８Ａは下段軸部１８Ａと同様の下段軸部である。
【００６４】
（第１実施形態の第２変形例）
第１実施形態の第１変形例では、上段ずれ止め部材２６の上段係止部２６Ｂの鉛直断面形状（上段継ぎ手鉄筋１２の中心軸を通る鉛直面で切断して得られる断面の形状）および下段ずれ止め部材２８の下段係止部２８Ｂの鉛直断面形状（下段継ぎ手鉄筋１４の中心軸を通る鉛直面で切断して得られる断面の形状）が台形である点が、第１実施形態の上段ずれ止め部材１６の上段係止部１６Ｂおよび下段ずれ止め部材１８の下段係止部１８Ｂの形状と異なっていたが、第１実施形態の第２変形例では、上段ずれ止め部材の上段係止部を正面から（上段ずれ止め部材の上段軸部の長手方向から）見た形状および下段ずれ止め部材の下段係止部を正面から（下段ずれ止め部材の下段軸部の長手方向から）見た形状が、第１実施形態の上段ずれ止め部材１６の上段係止部１６Ｂおよび下段ずれ止め部材１８の下段係止部１８Ｂの形状（正方形状）とは異なる。
【００６５】
図１１は、第１実施形態に係る継ぎ手構造１０の上段ずれ止め部材１６の上段係止部１６Ｂの第２変形例の具体例（（ａ）上段係止部３０Ａ、（ｂ）上段係止部３０Ｂ）を示す正面図（上段ずれ止め部材１６の上段軸部１６Ａの長手方向から見た正面図）であり、上段係止部の正面形状が略四角形の場合の例である。上段軸部の形状は第１実施形態の上段ずれ止め部材１６の上段軸部１６Ａと同様であるので、図１１においても、上段軸部には符号１６Ａを付している。図１１（ａ）に示す上段係止部３０Ａの正面形状は、上段ずれ止め部材の上段軸部１６Ａの長手方向と直交する水平方向に長い略長方形状であり、上下方向の長さが上段軸部１６Ａの上下方向の径と略一致している。図１１（ｂ）に示す上段係止部３０Ｂの正面形状は、上段軸部１６Ａの長手方向と直交する方向で下方向に長い略長方形状であり、水平方向の長さが上段軸部１６Ａの水平方向の径と略一致している。
【００６６】
図１２は、第１実施形態に係る継ぎ手構造１０の上段ずれ止め部材１６の上段係止部１６Ｂの第２変形例の具体例（（ａ）上段係止部３２Ａ、（ｂ）上段係止部３２Ｂ、（ｃ）上段係止部３２Ｃ）を示す正面図（上段ずれ止め部材１６の上段軸部１６Ａの長手方向から見た正面図）であり、上段係止部の正面形状が略三角形の場合の例である。上段軸部の形状は第１実施形態の上段ずれ止め部材１６の上段軸部１６Ａと同様であるので、図１２においても、上段軸部には符号１６Ａを付している。図１２（ａ）に示す上段係止部３２Ａの正面形状は、上段軸部１６Ａの長手方向と直交する水平方向に長い辺が上辺となっている略三角形であり、図１２（ｂ）に示す上段係止部３２Ｂの正面形状は、上段軸部１６Ａの長手方向と直交する水平方向に長い辺が下辺となっている略三角形であり、図１２（ｃ）に示す上段係止部３２Ｃの正面形状は、上段軸部１６Ａの長手方向と直交する水平方向に（上段継ぎ手鉄筋１２の側面に）２つの略三角形が設けられた形状である。
【００６７】
図１３は、第１実施形態に係る継ぎ手構造１０の上段ずれ止め部材１６の上段係止部１６Ｂの第２変形例の具体例（（ａ）上段係止部３４Ａ、（ｂ）上段係止部３４Ｂ）を示す正面図（上段ずれ止め部材１６の上段軸部１６Ａの長手方向から見た正面図）であり、上段係止部の正面形状が略たまご形の場合の例である。上段軸部の形状は第１実施形態の上段ずれ止め部材１６の上段軸部１６Ａと同様であるので、図１３においても、上段軸部には符号１６Ａを付している。図１３（ａ）に示す上段係止部３４Ａの正面形状は、上段軸部１６Ａの長手方向と直交する水平方向に長い径の部位が上方に配置されている略たまご形であり、図１３（ｂ）に示す上段係止部３４Ｂの正面形状は、上段軸部１６Ａの長手方向と直交する水平方向に長い径の部位が下方に配置されている略たまご形である。
【００６８】
図１４は、第１実施形態に係る継ぎ手構造１０の上段ずれ止め部材１６の上段係止部１６Ｂの第２変形例の具体例（（ａ）上段係止部３６Ａ、（ｂ）上段係止部３６Ｂ）を示す正面図（上段ずれ止め部材１６の上段軸部１６Ａの長手方向から見た正面図）であり、上段係止部の正面形状が略円形および略楕円形の場合の例である。上段軸部の形状は第１実施形態の上段ずれ止め部材１６の上段軸部１６Ａと同様であるので、図１４においても、上段軸部には符号１６Ａを付している。図１４（ａ）に示す上段係止部３６Ａの正面形状は、上端部が上段軸部１６Ａの上端部と一致する円形であり、図１４（ｂ）に示す上段係止部３６Ｂの正面形状は、上段軸部１６Ａの長手方向と直交する水平方向に長い楕円形である。
【００６９】
なお、第１実施形態に係る継ぎ手構造１０の下段ずれ止め部材１８の下段係止部１８Ｂの第２変形例の具体例の正面形状は、図１１〜図１４に示した第１実施形態に係る継ぎ手構造１０の上段ずれ止め部材１６の上段係止部１６Ｂの第２変形例の具体例を上下反転させた正面形状であるので、図示および説明は省略する。
【００７０】
（第２実施形態）
図１５は、本発明の第２実施形態に係るプレキャストコンクリート床版の継ぎ手構造４０を斜め上方から見た斜視図であり、図１６は、図１５から上段直交鉄筋２０および下段直交鉄筋２２を除いて描いた斜視図であり、図１７は、本発明の第２実施形態に係るプレキャストコンクリート床版の継ぎ手構造４０を橋軸直角方向から見た側面図である。ただし、図示の都合上、図１５および図１６においては、間詰めコンクリート２４は描いていない。また、図１７では、間詰めコンクリート２４の内部の部材も実線で描いている。また、本発明の第１実施形態に係るプレキャストコンクリート床版の継ぎ手構造１０と同様の構成については同一の符号を付して説明は原則として省略する。また、第１実施形態に係るプレキャストコンクリート床版の継ぎ手構造１０において説明した内容のうち、本第２実施形態に係るプレキャストコンクリート床版の継ぎ手構造４０においても同様に当てはまる内容については、原則として説明を省略する。
【００７１】
上段継ぎ手鉄筋１２の先端には、上段ずれ止め部材４２が設けられている。図１８は、上段継ぎ手鉄筋１２の先端部および上段ずれ止め部材４２を上段継ぎ手鉄筋１２の中心軸１２Ａを通る鉛直面で切断して得られる断面を模式的に示す鉛直断面図である。
【００７２】
図１８に示すように、上段ずれ止め部材４２は、上段軸部４２Ａと、上段係止部４２Ｂとを有してなる。上段軸部４２Ａと上段係止部４２Ｂとは一体化されている。
【００７３】
第１実施形態に係るプレキャストコンクリート床版の継ぎ手構造１０の上段ずれ止め部材１６の上段係止部１６Ｂは、上段係止部１６Ｂを有する上段ずれ止め部材１６が設けられている上段継ぎ手鉄筋１２が突出する方向とは逆の方向に斜め下方に延びる上段内面１６Ｂ１を、当該上段継ぎ手鉄筋１２が突出する方向とは逆の側に有していたが、図１８に示すように、本第２実施形態に係るプレキャストコンクリート床版の継ぎ手構造４０の上段係止部４２Ｂは、上段係止部４２Ｂを有する上段ずれ止め部材４２が設けられている上段継ぎ手鉄筋１２が突出する方向とは逆の方向に斜め下方に延びる面（第１実施形態に係る継ぎ手構造１０における上段内面１６Ｂ１）は有しておらず、代わりに、当該上段継ぎ手鉄筋１２の長手方向と略直交するように下方に延びる上段直交内面４２Ｂ１を当該上段継ぎ手鉄筋１２の突出する方向とは逆の側に有している。
【００７４】
また、下段継ぎ手鉄筋１４の先端には、下段ずれ止め部材４４が設けられている。図１９は、下段継ぎ手鉄筋１４の先端部および下段ずれ止め部材４４を下段継ぎ手鉄筋１４の中心軸１４Ａを通る鉛直面で切断して得られる断面を模式的に示す鉛直断面図である。
【００７５】
図１９に示すように、下段ずれ止め部材４４は、下段軸部４４Ａと、下段係止部４４Ｂとを有してなる。下段軸部４４Ａと下段係止部４４Ｂとは一体化されている。
【００７６】
第１実施形態に係るプレキャストコンクリート床版の継ぎ手構造１０の下段ずれ止め部材１８の下段係止部１８Ｂは、下段係止部１８Ｂを有する下段ずれ止め部材１８が設けられている下段継ぎ手鉄筋１４が突出する方向とは逆の方向に斜め上方に延びる下段内面１８Ｂ１を、当該下段継ぎ手鉄筋１４が突出する方向とは逆の側に有していたが、図１９に示すように、本第２実施形態に係るプレキャストコンクリート床版の継ぎ手構造４０の下段係止部４４Ｂは、下段係止部４４Ｂを有する下段ずれ止め部材４４が設けられている下段継ぎ手鉄筋１４が突出する方向とは逆の方向に斜め上方に延びる面（第１実施形態に係る継ぎ手構造１０における下段内面１８Ｂ１）は有しておらず、代わりに、当該下段継ぎ手鉄筋１４の長手方向と略直交するように上方に延びる下段直交内面４４Ｂ１を当該下段継ぎ手鉄筋１４の突出する方向とは逆の側に有している。
【００７７】
以上説明したように、上段内面１６Ｂ１に替えて、上段継ぎ手鉄筋１２の長手方向と略直交するように下方に延びる上段直交内面４２Ｂ１を有し、下段内面１８Ｂ１に替えて、下段継ぎ手鉄筋１４の長手方向と略直交するように上方に延びる下段直交内面４４Ｂ１を有している点が、本第２実施形態に係るプレキャストコンクリート床版の継ぎ手構造４０の第１実施形態に係るプレキャストコンクリート床版の継ぎ手構造１０との大きな相違点である。
【００７８】
上段ずれ止め部材４２は、上段直交内面４２Ｂ１を備えることにより、上段直交内面４２Ｂ１が支圧抵抗面となって、上段継ぎ手鉄筋１２が間詰めコンクリート２４から引き抜けることを防止し、下段ずれ止め部材４４は、下段直交内面４４Ｂ１を備えることにより、下段直交内面４４Ｂ１が支圧抵抗面となって、下段継ぎ手鉄筋１４が間詰めコンクリート２４から引き抜けることを防止する。
【００７９】
また、上段係止部４２Ｂを側方（橋軸直角方向）から見た形状はくさび型であり、本第２実施形態に係るプレキャストコンクリート床版の継ぎ手構造４０の上段係止部４２Ｂの上段直交内面４２Ｂ１とは反対側（上段係止部４２Ｂを有する上段ずれ止め部材４２が設けられている上段継ぎ手鉄筋１２が突出する方向の側）の上段外面４２Ｂ２は、上段係止部４２Ｂを有する上段ずれ止め部材４２が設けられている上段継ぎ手鉄筋１２が突出する方向に斜め下方に延びる面になっている。このため、上段継ぎ手鉄筋１２が上方にはらみ出そうとするときに、上段外面４２Ｂ２は間詰めコンクリート２４からの抵抗力を受けるため、上段継ぎ手鉄筋１２の上方へのはらみ出しが起こりにくくなっている。
【００８０】
また、下段係止部４４Ｂを側方（橋軸直角方向）から見た形状はくさび型であり、本第２実施形態に係るプレキャストコンクリート床版の継ぎ手構造４０の下段係止部４４Ｂの下段直交内面４４Ｂ１とは反対側（下段係止部４４Ｂを有する下段ずれ止め部材４４が設けられている下段継ぎ手鉄筋１４が突出する方向の側）の下段外面４４Ｂ２は、下段係止部４４Ｂを有する下段ずれ止め部材４４が設けられている下段継ぎ手鉄筋１４が突出する方向に斜め上方に延びる面になっている。このため、下段継ぎ手鉄筋１４が下方にはらみ出そうとするときに、下段外面４４Ｂ２は間詰めコンクリート２４からの抵抗力を受けるため、下段継ぎ手鉄筋１４の下方へのはらみ出しが起こりにくくなっている。
【００８１】
ただし、本第２実施形態に係るプレキャストコンクリート床版の継ぎ手構造４０の上段ずれ止め部材４２の上段係止部４２Ｂは、上段係止部４２Ｂを有する上段ずれ止め部材４２が設けられている上段継ぎ手鉄筋１２が突出する方向とは逆の方向に斜め下方に延びる面（第１実施形態に係る継ぎ手構造１０における上段内面１６Ｂ１）を、当該上段継ぎ手鉄筋１２が突出する方向とは逆の側に有しておらず、代わりに、上段継ぎ手鉄筋１２の長手方向と略直交するように下方に延びる上段直交内面４２Ｂ１を、当該上段継ぎ手鉄筋１２が突出する方向とは逆の側に有しており、また、本第２実施形態に係るプレキャストコンクリート床版の継ぎ手構造４０の下段ずれ止め部材４４の下段係止部４４Ｂは、下段係止部４４Ｂを有する下段ずれ止め部材４４が設けられている下段継ぎ手鉄筋１４が突出する方向とは逆の方向に斜め上方に延びる面（第１実施形態に係る継ぎ手構造１０における下段内面１８Ｂ１）を、当該下段継ぎ手鉄筋１４が突出する方向とは逆の側に有しておらず、代わりに、下段継ぎ手鉄筋１４の長手方向と略直交するように上方に延びる下段直交内面４４Ｂ１を、当該下段継ぎ手鉄筋１４が突出する方向とは逆の側に有しているので、本第２実施形態に係るプレキャストコンクリート床版の継ぎ手構造４０は、第１実施形態に係るプレキャストコンクリート床版の継ぎ手構造１０よりも、間詰めコンクリート２４に係止する効果が小さくなると思われる。
【００８２】
なお、上段ずれ止め部材４２の上段軸部４２Ａは、上段継ぎ手鉄筋１２の外径（凹部の外径）と略同一の外径を有しており、突出する上段継ぎ手鉄筋１２の先端に、お互いの中心軸が略一致するように接合されている。この接合は、例えば、フラッシュ溶接を用いて行うことができる。フラッシュ溶接を用いて得られる接合部は接合前よりも若干径が大きくなるが、上段継ぎ手鉄筋１２の凸部の径程度以下に抑えることで、フラッシュ溶接を用いて得られる接合部は上段継ぎ手鉄筋１２と同等のかぶりを確保できる。
【００８３】
また、下段ずれ止め部材４４の下段軸部４４Ａは、下段継ぎ手鉄筋１４の外径（凹部の外径）と略同一の外径を有しており、突出する下段継ぎ手鉄筋１４の先端に、お互いの中心軸が略一致するように接合されている。この接合は、例えば、フラッシュ溶接を用いて行うことができる。フラッシュ溶接を用いて得られる接合部は接合前よりも若干径が大きくなるが、下段継ぎ手鉄筋１４の凸部の径程度以下に抑えることで、フラッシュ溶接を用いて得られる接合部は下段継ぎ手鉄筋１４と同等のかぶりを確保できる。
【００８４】
なお、本第２実施形態に係るプレキャストコンクリート床版の継ぎ手構造４０の上段ずれ止め部材４２および下段ずれ止め部材４４の正面形状としては、第１実施形態に係るプレキャストコンクリート床版の継ぎ手構造１０で説明した図１１〜図１４と同様に種々の形状を採用することが可能である。
【符号の説明】
【００８５】
１０、４０…プレキャストコンクリート床版の継ぎ手構造
１２…上段継ぎ手鉄筋
１２Ａ、１４Ａ…中心軸
１４…下段継ぎ手鉄筋
１６、２６、４２…上段ずれ止め部材
１６Ａ、２６Ａ、４２Ａ…上段軸部
１６Ｂ、２６Ｂ、４２Ｂ…上段係止部
１６Ｂ１、２６Ｂ１…上段内面
１６Ｂ２、２６Ｂ２、４２Ｂ２…上段外面
１８、２８、４４…下段ずれ止め部材
１８Ａ、２８Ａ、４４Ａ…下段軸部
１８Ｂ、２８Ｂ、４４Ｂ…下段係止部
１８Ｂ１、２８Ｂ１…下段内面
１８Ｂ２、２８Ｂ２、４４Ｂ２…下段外面
２０…上段直交鉄筋
２２…下段直交鉄筋
２３…針金
２４…間詰めコンクリート
３０Ａ、３０Ｂ、３２Ａ、３２Ｂ、３２Ｃ、３４Ａ、３４Ｂ、３６Ａ、３６Ｂ…上段係止部
４２Ｂ１…上段直交内面
４４Ｂ１…下段直交内面
５０…プレキャストコンクリート床版
５２…接合端面
【図１】
2018031233.tif 000003
【図２】
2018031233.tif 000004
【図３】
2018031233.tif 000005
【図４】
2018031233.tif 000006
【図５】
2018031233.tif 000007
【図６】
2018031233.tif 000008
【図７】
2018031233.tif 000009
【図８】
2018031233.tif 000010
【図９】
2018031233.tif 000011
【図１０】
2018031233.tif 000012
【図１１】
2018031233.tif 000013
【図１２】
2018031233.tif 000014
【図１３】
2018031233.tif 000015
【図１４】
2018031233.tif 000016
【図１５】
2018031233.tif 000017
【図１６】
2018031233.tif 000018
【図１７】
2018031233.tif 000019
【図１８】
2018031233.tif 000020
【図１９】
2018031233.tif 000021
【図２０】
2018031233.tif 000022